(57)【要約】      （修正有）【課題】登録された画像を、所定の条件を満たす携帯端末へ配信する画像管理サーバ、画像管理システム及び画像管理方法を提供する。【解決手段】画像管理サーバは、携帯端末に画像を配信する画像管理サーバであって、撮影装置により撮影された画像を受信する画像受信部５０３と、画像を、撮影場所位置情報、撮影日時情報、及び撮影した、又は撮影されたユーザを示すユーザ情報と紐付けて記憶する記憶部と、携帯端末の位置を示す位置情報を取得する位置情報受信部５０１と、位置情報に基づき前記携帯端末が所定領域内にあると判定した場合に、携帯端末に対応するユーザ情報が紐付けられた画像を記憶部から取り出す画像検索部５０４と、画像検索部５０４が取り出した画像を前記携帯端末へ送信する画像送信部５０５と、を備える。【選択図】図６
2019053690.tif 000002
【特許請求の範囲】
【請求項１】
携帯端末に画像を配信する画像管理サーバであって、
撮影装置により撮影された画像を受信する画像受信部と、
前記画像を、撮影場所位置情報、撮影日時情報、及び撮影した、又は撮影されたユーザを示すユーザ情報と紐付けて記憶する記憶部と、
携帯端末の位置を示す位置情報を取得する位置情報受信部と、
前記位置情報に基づき前記携帯端末が所定領域内にあると判定した場合に、前記携帯端末に対応するユーザ情報が紐付けられた画像を前記記憶部から取り出す画像検索部と、
前記画像検索部が取り出した画像を前記携帯端末へ送信する画像送信部と、
を備える画像管理サーバ。
【請求項２】
前記位置情報は、前記携帯端末が電波発信機から受信した信号に含まれる前記電波発信機の識別情報であることを特徴とする請求項１に記載の画像管理サーバ。
【請求項３】
前記位置情報に基づき、前記携帯端末が所定領域内にあり、かつ前記携帯端末の位置に所定時間変化がないと判定した場合に、前記画像送信部は前記携帯端末へ画像を送信することを特徴とする請求項１又は２に記載の画像管理サーバ。
【請求項４】
ユーザを撮影する撮影装置と、
前記撮影装置による撮影画像に画像ＩＤを割り当て、前記撮影画像及び前記画像ＩＤを保存するコンピュータと、
前記撮影画像及び前記画像ＩＤを表示する表示部と、
請求項１乃至３のいずれかに記載の画像管理サーバと、
を備える画像管理システムであって、
前記画像管理サーバは、携帯端末から前記画像ＩＤが通知されると、前記コンピュータから前記画像ＩＤに対応する前記撮影画像を取得し、前記撮影画像を前記携帯端末に対応するユーザ情報と紐付けて前記記憶部に格納することを特徴とする画像管理システム。
【請求項５】
携帯端末及び画像管理サーバを用いた画像管理方法であって、
前記画像管理サーバが、撮影装置により撮影された画像を受信し、前記画像を、撮影場所位置情報、撮影日時情報、及び撮影した、又は撮影されたユーザを示すユーザ情報と紐付けて記憶部に格納し、
前記携帯端末が、前記携帯端末の位置を示す位置情報を前記画像管理サーバへ送信し、
前記画像管理サーバが、前記位置情報に基づき前記携帯端末が所定領域内にあると判定した場合に、前記携帯端末に対応するユーザ情報が紐付けられた画像を前記記憶部から取り出し、取り出した画像を前記携帯端末へ送信し、
前記携帯端末が、前記画像管理サーバから受信した画像を表示部に表示することを特徴とする画像管理方法。
【発明の詳細な説明】
【技術分野】
【０００１】
本発明は、画像管理サーバ、画像管理システム、及び画像管理方法に関する。
【背景技術】
【０００２】
スマートフォンやタブレット端末等の携帯端末で撮影した画像をサーバに登録し、管理することが行われている。ユーザが、携帯端末を用いてサーバにアクセスし、登録されている画像の中から任意の画像を選択すると、サーバは、選択された画像を携帯端末に対して配信する。従来の画像管理システムでは、ユーザＩＤやパスワードを入力して認証を行い、画像登録や画像閲覧を行っていた。
【０００３】
サーバへの画像登録やサーバによる画像配信を行う画像管理システムを用いた新たなサービス展開が求められている。
【先行技術文献】
【特許文献】
【０００４】
【特許文献１】特開２０１５−２０１０８２号公報
【発明の概要】
【発明が解決しようとする課題】
【０００５】
本発明は、登録された画像を、所定の条件を満たす携帯端末へ配信する画像管理サーバ、画像管理システム、及び画像管理方法を提供することを目的とする。
【課題を解決するための手段】
【０００６】
本発明の画像管理サーバは、携帯端末に画像を配信する画像管理サーバであって、撮影装置により撮影された画像を受信する画像受信部と、前記画像を、撮影場所位置情報、撮影日時情報、及び撮影した、又は撮影されたユーザを示すユーザ情報と紐付けて記憶する記憶部と、携帯端末の位置を示す位置情報を取得する位置情報受信部と、前記位置情報に基づき前記携帯端末が所定領域内にあると判定した場合に、前記携帯端末に対応するユーザ情報が紐付けられた画像を前記記憶部から取り出す画像検索部と、前記画像検索部が取り出した画像を前記携帯端末へ送信する画像送信部と、を備えるものである。
【０００７】
本発明の一態様では、前記位置情報は、前記携帯端末が電波発信機から受信した信号に含まれる前記電波発信機の識別情報である。
【０００８】
本発明の一態様では、前記位置情報に基づき、前記携帯端末が所定領域内にあり、かつ前記携帯端末の位置に所定時間変化がないと判定した場合に、前記画像送信部は前記携帯端末へ画像を送信する。
【０００９】
本発明の画像管理システムは、ユーザを撮影する撮影装置と、前記撮影装置による撮影画像に画像ＩＤを割り当て、前記撮影画像及び前記画像ＩＤを保存するコンピュータと、前記撮影画像及び前記画像ＩＤを表示する表示部と、本発明による画像管理サーバと、を備える画像管理システムであって、前記画像管理サーバは、携帯端末から前記画像ＩＤが通知されると、前記コンピュータから前記画像ＩＤに対応する前記撮影画像を取得し、前記撮影画像を前記携帯端末に対応するユーザ情報と紐付けて前記記憶部に格納するものである。
【００１０】
本発明の画像管理方法は、携帯端末及び画像管理サーバを用いた画像管理方法であって、前記画像管理サーバが、撮影装置により撮影された画像を受信し、前記画像を、撮影場所位置情報、撮影日時情報、及び撮影した、又は撮影されたユーザを示すユーザ情報と紐付けて記憶部に格納し、前記携帯端末が、前記携帯端末の位置を示す位置情報を前記画像管理サーバへ送信し、前記画像管理サーバが、前記位置情報に基づき前記携帯端末が所定領域内にあると判定した場合に、前記携帯端末に対応するユーザ情報が紐付けられた画像を前記記憶部から取り出し、取り出した画像を前記携帯端末へ送信し、前記携帯端末が、前記画像管理サーバから受信した画像を表示部に表示するものである。
【発明の効果】
【００１１】
本発明によれば、画像管理サーバに登録された画像を、所定の条件を満たす携帯端末へ配信することができる。これにより、例えば、ある場所でユーザが撮影した（撮影された）画像を画像管理サーバに登録しておき、同じ場所をユーザが再訪した際に、前回訪問時の画像をユーザの携帯端末へ配信することができる。あるいはまた、保育園で保育士が撮影した園児の画像を画像管理サーバに登録しておき、保護者が所定の場所にいる時、又は所定時刻に、保護者の携帯端末へ園児の画像を配信できる。
【図面の簡単な説明】
【００１２】
【図１】本発明の実施形態による画像管理システムの概略図である。
【図２】（ａ）は画像管理システムによる画像配信例を示す図であり、（ｂ）〜（ｄ）は配信される画像の例を示す図であり、（ｅ）はアミューズメントパークでの顧客対応例を示す図である。
【図３】同実施形態による携帯端末のハードウェア構成図である。
【図４】携帯端末の機能構成を示すブロック図である。
【図５】同実施形態による画像管理サーバのハードウェア構成図である。
【図６】画像管理サーバの機能構成を示すブロック図である。
【図７】画像配信方法を説明するフローチャートである。
【図８】変形例による画像管理システムの概略図である。
【発明を実施するための形態】
【００１３】
図１は本発明の実施の形態に係る画像管理システムの概略図である。画像管理システムは、画像管理サーバ５及び携帯端末６を備え、携帯端末６や撮影装置１Ａ，１Ｂ等で撮影された画像が画像管理サーバ２にアップロードされ、保存される。携帯端末６は、例えばスマートフォンやタブレット端末等である。本実施形態では、アミューズメントパークで撮影された画像の管理について説明する。
【００１４】
携帯端末６には、この画像管理システムが提供するサービスを利用するためのアプリケーションプログラムがインストールされている。インストールされたアプリケーションプログラムには、固有の識別情報（アプリＩＤ）が割り当てられており、このアプリＩＤによりユーザを識別することが可能となる。
【００１５】
携帯端末６は、撮影を行うと、撮影画像、撮影場所の位置情報、撮影日時情報、及びユーザ情報を画像管理サーバ５へ送信し、登録する。撮影画像が、Ｅｘｉｆ（登録商標）（Exchangeable  Image  File  Format）に準拠した形式の場合は、画像ファイルに含まれる撮影日時情報及びＧＰＳ位置情報を用いることができる。ユーザ情報は、例えばアプリＩＤである。
【００１６】
撮影装置１Ａ及び１Ｂは、例えばデジタルカメラである。撮影装置１Ａは、ジェットコースター等のアトラクションに設置され、顧客を自動撮影（ライドショット）する。撮影装置１Ａは、撮影した画像をコンピュータ３Ａに転送する。コンピュータ３Ａは、撮影した画像に識別番号を付して、撮影画像及び識別番号をディスプレイ２Ａに表示する。また、コンピュータ３Ａは、アミューズメントパークのシステム全体を管理するコンピュータ４に、画像データ及び識別番号を送信する。
【００１７】
ユーザは、ディスプレイ２Ａを見て、自身が写っている画像の識別番号を確認する。ユーザは、携帯端末６を用いて、ライドショット画像の識別番号を画像管理サーバ５に通知する。画像管理サーバ５は、ユーザから通知された識別番号に対応する画像データをコンピュータ４から取得し、撮影場所の位置情報、撮影日時情報及びユーザ情報と紐付けて保存する。撮影場所の位置情報は、アミューズメントパークであることを示すものでもよいし、アミューズメントパーク内のアトラクションを示すものでもよい。
【００１８】
撮影装置１Ｂは、例えばキャラクターとの写真撮影を行うことができるフォトスポットでカメラマンによって使用されるものである。撮影装置１Ｂは、撮影した画像をコンピュータ３Ｂに転送する。コンピュータ３Ｂは、撮影画像をディスプレイ２Ｂに表示する。カメラマンは、ディスプレイ２Ｂに表示された画像を見て、写り具合を確認する。
【００１９】
このフォトスポットでは、ユーザを撮影する前に、ユーザを識別するためのユーザ識別情報がコンピュータ３Ｂに入力される。例えば、ユーザが携帯端末６に表示させたアプリＩＤを撮影装置１Ｂで撮影することで、ユーザ識別情報が入力される。あるいはまた、近距離無線通信技術を用いて、携帯端末６から、携帯端末６の個体識別情報やアプリＩＤを取得してもよい。コンピュータ３Ｂは、ユーザ識別情報及び撮影画像をコンピュータ４へ送信する。
【００２０】
コンピュータ４は、コンピュータ３Ｂから受信したユーザ識別情報及び撮影画像を、画像管理サーバ５へ送信する。画像管理サーバ５は、ユーザ識別情報及び撮影画像データをコンピュータ４から取得し、撮影画像データを、撮影場所の位置情報、撮影日時情報及びユーザ情報と紐付けて保存する。撮影場所の位置情報は、アミューズメントパークであることを示すものでもよいし、アミューズメントパーク内のフォトスポットを示すものでもよい。
【００２１】
このようにして、画像管理サーバ５は、アミューズメントパークで撮影された画像を、ユーザ別に、撮影場所位置情報及び撮影日時情報と共に保存する。
【００２２】
図２（ａ）に示すように、後日、ユーザがアミューズメントパークを再訪した際、ユーザが所有する携帯端末６が、入場ゲートＧに設置されているビーコン端末７からビーコン信号を受信する。ビーコン信号には、ビーコン端末７を識別する識別情報（ＵＵＩＤ等）が含まれている。
【００２３】
携帯端末６は、ビーコン信号を受信すると、ビーコン端末７の識別情報と共に、ビーコン信号を検知したことを画像管理サーバ５に通知する。画像管理サーバ５は、携帯端末６から通知されたビーコン端末７の識別情報から、ユーザがアミューズメントパークを訪れていると判定し、保存している画像の中から、このアミューズメントパークでユーザが撮影した（撮影された）画像を抽出し、携帯端末６へ送信する。
【００２４】
携帯端末６は、画像管理サーバ５から受信した画像を表示する。例えば、図２（ｂ）〜（ｄ）に示すように、ユーザがアミューズメントパークを過去に訪れた際に撮影した画像、キャラクターと撮影した画像、ジェットコースターに乗っている画像等を表示する。ユーザは、過去にこのアミューズメントパークを訪れた時の思い出を懐かしむことができる。
【００２５】
ビーコン端末７を、キャラクターとの写真撮影を行うフォトスポットに設けてもよい。携帯端末６は、ビーコン信号を受信すると、ビーコン端末７の識別情報と共に、ビーコン信号を検知したことを画像管理サーバ５に通知する。画像管理サーバ５は、携帯端末６から通知されたビーコン端末７の識別情報から、ユーザがフォトスポットでキャラクターとの写真撮影を行おうとしていると判定する。画像管理サーバ５は、このユーザに関連する画像の中に、フォトスポットで撮影された画像があるか否か検索する。フォトスポットで撮影された画像がある場合、画像管理サーバ５は、コンピュータ４へ、このユーザの識別情報や、ユーザの名前等と共に、フォトスポットのリピート客であることを通知する。
【００２６】
コンピュータ４は、ユーザの識別情報、名前、フォトスポットのリピート客であることを、フォトスポットのコンピュータ３Ｂに通知する。フォトスポットでコンピュータ３Ｂに入力されたユーザ識別情報が、コンピュータ４から通知されたユーザ識別情報と一致すると、ディスプレイ２Ｂに、このユーザの名前とリピート客であることが表示される。フォトスポットのキャラクターやスタッフが、事前にディスプレイ２Ｂの表示内容を確認し、図２（ｅ）に示すように、写真撮影の際にキャラクターが「また来てくれてありがとう」としゃべりかける。
【００２７】
ユーザは、キャラクターが自分のことを覚えていてくれたような感覚になり、このアミューズメントパークのことをより一層好きになる。
【００２８】
このように、撮影画像を、撮影場所位置情報と共に画像管理サーバ５に保存し、ユーザの位置に基づいて画像を携帯端末６へ配信したり、来訪歴をアミューズメントパーク側に通知したりすることで、アミューズメントパークの顧客満足度及びリピート率を向上させることができる。
【００２９】
図３は携帯端末６のハードウェア構成例を示す。携帯端末６は、ＣＰＵ６０（演算制御部）、記憶部６１、操作表示部６２、撮影部６４、ＧＰＳ受信部６５、及び通信部６６を有する。
【００３０】
記憶部６１は、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）等の組み合わせであり、画像登録・閲覧プログラムを記憶する。画像登録・閲覧プログラムは、例えばインターネット上のウェブサイトからダウンロードして、携帯端末６に予めインストールされている。また、記憶部６１は、撮影処理により生成された画像データや、画像管理サーバ５から配信された画像データを一時的又は永続的に記憶する。
【００３１】
操作表示部６２は、各種情報を表示すると共に、ユーザからの操作を受け付ける。例えば、操作表示部６２はタッチパネルである。あるいはまた、操作表示部６２は、マウスやキーボード等の操作部と、液晶ディスプレイ等の表示部とを備えるものであってもよい。
【００３２】
撮影部６４は、携帯端末６に内蔵されているデジタルカメラであり、ＣＣＤ（Charged  coupled  devices）センサや、ＣＭＯＳ（Complementary  metal-oxide-semiconductor）センサを用いたものである。
【００３３】
ＧＰＳ受信部６５は、ＧＰＳ衛星から発せられる電波を受信し、ＧＰＳ情報に基づいて、携帯端末６が存在する現在地の位置情報（緯度及び経度）を取得する。
【００３４】
通信部６６は、インターネット等を介して、画像管理サーバ５と通信を行い、画像データの送受信を行う。また、通信部６６は、Ｂｌｕｅｔｏｏｔｈ（登録商標）規格に基づく短距離無線通信機能を有する。
【００３５】
ＣＰＵ６０が画像登録・閲覧プログラムを実行することで、図４に示すように、撮影処理部６０１、画像送信部６０２、電波受信部６０３、位置情報送信部６０４、画像受信部６０５、及び画像ＩＤ通知部６０６が実現される。
【００３６】
撮影処理部６０１は、撮影部６４を用いて撮影処理を行う。画像送信部６０２は、撮影処理で生成された画像を、撮影場所の位置情報、撮影日時情報、及びユーザ情報と共に画像管理サーバ５へ送信する。
【００３７】
電波受信部６０３は、ビーコン端末７からビーコン信号を受信し、ビーコン端末７の端末識別情報を取得する。電波受信部６０３が受信する信号はビーコン信号に限定されず、例えば、無線ＬＡＮ（Local  Area  Network）のアクセスポイントから、このアクセスポイントの識別子（例えばSSID：Service  Set  Identifier）を含む信号を受信してもよい。電波受信部６０３は、特定の場所に設置された送信機から、送信機の識別情報を含む信号を受信する。受信信号に含まれる識別情報は、特定の場所に対応付けられたものとなる。
【００３８】
位置情報送信部６０４は、画像管理サーバ５に、携帯端末６の位置情報を送信する。携帯端末６の位置情報は、例えば、ビーコン端末７等の送信機（電波発信機）から受信した信号に含まれる送信機の識別情報や、ＧＰＳ位置情報である。位置情報送信部６０４は、ビーコン端末７等の送信機からの信号受信に伴い画像管理サーバ５に位置情報を送信してもよいし、ＧＰＳ位置情報を所定時間間隔で画像管理サーバ５に送信してもよい。
【００３９】
画像受信部６０５は、画像管理サーバ５から画像データを受信する。
【００４０】
画像ＩＤ通知部６０６は、アトラクションで自動撮影された画像に割り当てられた識別番号を、画像管理サーバ５に通知する。ユーザは、アトラクションを楽しんだ後、ディスプレイ２Ａに表示された画像を確認し、自分が写っている画像に割り当てられた識別番号を携帯端末６に入力する。画像ＩＤ通知部６０６は、入力された識別番号を画像管理サーバ５に通知する。
【００４１】
図５は、サーバ装置５の概略構成を示す。サーバ装置５は、ＣＰＵ５０（演算制御部）、記憶部５１、及び通信部５２を有する。記憶部５１は、フラッシュメモリ、ＲＯＭ、ＲＡＭ、ハードディスク等の組み合わせであり、画像管理プログラムを記憶する。
【００４２】
ＣＰＵ５０が画像管理プログラムを実行することで、図６に示すように、位置情報受信部５０１、画像ＩＤ受信部５０２、画像受信部５０３、画像検索部５０４、及び画像送信部５０５が実現され、記憶部５１に画像記憶領域５１０、及び画像管理テーブル記憶領域５１２が生成される。
【００４３】
位置情報受信部５０１は、携帯端末６から携帯端末６の位置情報を受信する。画像ＩＤ受信部５０２は、携帯端末６から通知された画像ＩＤを受信する。
【００４４】
画像受信部５０３は、携帯端末６から、撮影画像を、撮影場所位置情報、撮影日時情報及びユーザ情報と共に受信し、画像データを画像記憶領域５１０に格納する。また、画像受信部５０３は、画像のファイル名、撮影場所位置情報、撮影日時情報及びユーザ情報の関連を画像管理テーブルに記録する。
【００４５】
画像受信部５０３は、アミューズメントパークのコンピュータ４から、フォトスポットで撮影された画像を、ユーザ情報と共に受信し、画像記憶領域５１０に格納する。また、画像受信部５０３は、この画像のファイル名、ユーザ情報、撮影日時情報、撮影場所位置情報（アミューズメントパーク又はフォトスポットを示す情報）の関連を、画像管理テーブルに記録する。
【００４６】
画像受信部５０３は、携帯端末６から通知された画像ＩＤをコンピュータ４に問い合わせ、撮影装置１Ａで撮影されたライドショットの画像のうち、この画像ＩＤに対応する画像を取得し、画像記憶領域５１０に格納する。また、画像受信部５０３は、この画像のファイル名、画像ＩＤを通知してきたユーザのユーザ情報、撮影日時情報、撮影場所位置情報（アミューズメントパーク又はアトラクションを示す情報）の関連を、画像管理テーブルに記録する。
【００４７】
画像検索部５０４は、位置情報受信部５０１がユーザの携帯端末６から位置情報を受信すると、画像管理テーブルを参照して、このユーザの画像のうち、受信した位置情報に対応する撮影場所位置情報が関連付けられた画像を画像記憶領域５１０から取り出す。例えば、受信した位置情報が示す場所から所定の距離の範囲内で撮影された画像が取り出される。
【００４８】
画像送信部５０５は、画像検索部５０４が取り出した画像を携帯端末６へ送信する。
【００４９】
次に、図７に示すフローチャートを用いて、本実施形態による画像配信方法を説明する。なお、画像配信に先立ち、画像管理サーバ５には、画像が登録されているものとする。登録画像は、過去にユーザがアミューズメントパークへ行った際に、携帯端末６や撮影装置１Ａ、１Ｂで撮影した画像である。
【００５０】
画像管理サーバ５が、携帯端末６から位置情報を受信する（ステップＳ１０）。位置情報は、携帯端末６がビーコン端末７等の送信機から受信した信号に含まれる送信機の識別情報や、ＧＰＳ位置情報である。
【００５１】
携帯端末６を所持したユーザが所定領域内にいる場合（ステップＳ１１＿Ｙｅｓ）、画像管理サーバ５は、この場所に関連する画像を携帯端末６へ配信する（ステップＳ１２）。携帯端末６の操作表示部６２に、画像管理サーバ５から配信された画像が表示され、ユーザが画像を閲覧できる（ステップＳ１３）。
【００５２】
これにより、過去にアミューズメントパークを訪れた際にユーザが撮影した画像や、アトラクションで撮影された画像が、このアミューズメントパークを再訪した際にユーザの携帯端末６に配信されるため、ユーザは前回来訪時のことを思い出し、画像の中の昔の姿と、現在の姿との違いを楽しむことができる。
【００５３】
携帯端末６に画像を配信するタイミングは、入場ゲートＧの通過時だけでなく、最寄駅の改札を通過した時でもよい。また、パーク内で、ライドに並んでいたり、パレードを待っていたりして、ユーザ（携帯端末６）に一定時間動きがないときに、画像を配信してもよい。
【００５４】
また、ユーザが退場ゲートを通過した際に、ユーザ固有のメッセージを退場ゲートに設置したディスプレイに表示するようにしてもよい。
【００５５】
また、前回アミューズメントパークを訪問した日から所定の日数が経過した時（例えば１年後）に、携帯端末６に画像を配信してもよい。
【００５６】
上記実施形態では、アミューズメントパークで撮影された画像の管理の例について説明したが、画像管理システムは様々な用途に適用できる。例えば、図８に示すように、保育園で撮影した画像を、保護者の携帯端末へ配信するサービスに適用できる。
【００５７】
保育士が、撮影装置１Ｃや、画像登録・閲覧プログラムがインストールされた携帯端末６Ａを用いて、園児の撮影を行う。保育士が、携帯端末６Ａに、撮影した園児のクラス名（又は学年）を入力すると、携帯端末６Ａは、撮影画像、撮影場所位置情報、撮影日時情報及びクラス名を画像管理サーバ５に登録する。クラス名が、上記実施形態におけるユーザ情報に相当する。撮影装置１Ｃで撮影を行った場合は、例えば保育園のコンピュータ４Ａを使用して、撮影した園児のクラス名、撮影場所位置情報及び撮影日時情報と共に、撮影画像を画像管理サーバ５に登録する。撮影場所位置情報は、例えば保育園を示すものである。
【００５８】
画像管理サーバ５は、保護者の所有する携帯端末６Ｂの位置情報を収集し、所定の条件と一致した際に、保護者の所有する携帯端末６Ｂへ、この保護者の子供が所属するクラスの（当日撮影された）画像を配信する。所定の条件は、例えば、携帯端末６Ｂを所有する保護者が、最寄駅の改札や、保育園の門扉を通過した時である。また、所定の時刻に画像を配信してもよい。また、母親が保育園に子供を迎えに行き、門扉を通過したタイミングで、父親の携帯端末へ画像を配信してもよい。
【００５９】
画像と共に、保育士からのメッセージを配信してもよい。これにより、保護者は、保育園での子供の日常生活を把握しやすくなる。また、保育園と保護者との間のコミュニケーションを効率化できる。
【００６０】
上記実施形態において、ユーザやユーザ家族のマスタ顔画像を準備しておき、撮影画像の顔認証を行い、画像とユーザとの対応付けを行ってもよい。
【００６１】
上記説明は本発明の一例であり、本発明は上記以外の形態とされてもよい。
【符号の説明】
【００６２】
１Ａ、１Ｂ  撮影装置
２Ａ、２Ｂ  ディスプレイ
３Ａ、３Ｂ、４  コンピュータ
５  画像管理サーバ
６  携帯端末
７  ビーコン端末
【図１】
2019053690.tif 000003
【図２】
2019053690.tif 000004
【図３】
2019053690.tif 000005
【図４】
2019053690.tif 000006
【図５】
2019053690.tif 000007
【図６】
2019053690.tif 000008
【図７】
2019053690.tif 000009
【図８】
2019053690.tif 000010